(57)【要約】【課題】情報処理を継続しつつ、表示情報の一部に対する覗き見を防止することが可能な携帯型情報処理装置を提供する。【解決手段】一実施形態に係る携帯型情報処理装置１Ａは、情報を表示する表示手段１０Ａと、表示手段１０Ａの表示領域に対応した接触領域を有し、接触領域に対する接触操作を検知して、接触領域における接触操作の位置を示す位置信号を出力する操作手段２０と、操作手段２０からの複数の位置信号に基づいて、接触領域における接触操作の各位置に対応する表示領域の位置を全て含む表示領域の対象範囲を決定する範囲決定手段３１Ａと、表示領域の対象範囲に表示された情報を表示手段１０Ａに見えなくさせる表示制御処理を行う表示制御手段３２Ａとを備え、範囲決定手段３１Ａは、所定時間以上触れられた範囲を示す複数の位置信号に基づいて、所定時間以上触れられた範囲に対応する表示領域の範囲を全て含む表示領域の対象範囲を決定する。【選択図】図７
2011180603.tif 000002
【特許請求の範囲】
【請求項１】
情報を表示する表示手段と、
前記表示手段の表示領域に対応した接触領域を有し、前記接触領域に対する接触操作を検知して、前記接触領域における前記接触操作の位置を示す位置信号を出力する操作手段と、
前記操作手段からの複数の前記位置信号に基づいて、前記接触領域における前記接触操作の各位置に対応する前記表示領域の位置を全て含む前記表示領域の対象範囲を決定する範囲決定手段と、
前記表示領域の対象範囲に表示された情報を前記表示手段に見えなくさせる表示制御処理を行う表示制御手段と、
を備え、
前記範囲決定手段は、ユーザによって前記操作手段の前記接触領域を所定時間以上触れられて、前記操作手段から前記位置信号を前記所定時間以上受けた場合に、前記所定時間以上触れられた範囲を示す複数の前記位置信号に基づいて、前記所定時間以上触れられた範囲に対応する前記表示領域の範囲を全て含む前記表示領域の対象範囲を決定する、
携帯型情報処理装置。
【請求項２】
前記位置信号は、前記接触領域における行列座標を含み、
前記表示領域は、分割された複数の分割領域を有しており、
前記範囲決定手段は、前記接触領域の複数の行列座標に対応する前記表示領域の複数の行列座標であって、前記表示領域の複数の行列座標の少なくとも１つを含む前記分割領域を合成した合成領域を前記表示領域の対象範囲として決定する、
請求項１に記載の携帯型情報処理装置。
【請求項３】
前記位置信号は、前記接触領域における行列座標を含み、
前記範囲決定手段は、前記接触領域の複数の行列座標に対応する前記表示領域の複数の行列座標から、列方向の最大値及び最小値と行方向の最大値及び最小値とを求め、該列方向の最大値及び最小値と該行方向の最大値及び最小値とによって囲まれた前記表示領域の対象範囲を決定する、
請求項１に記載の携帯型情報処理装置。
【請求項４】
情報を表示する表示手段と、
前記表示手段の表示領域に対応した接触領域を有し、前記接触領域に対する接触操作を検知して、前記接触領域における前記接触操作の位置を示す位置信号を出力する操作手段と、
前記操作手段からの複数の前記位置信号に基づいて、前記接触操作の位置を全て含む前記接触領域の接触操作範囲を決定し、前記接触領域の接触操作範囲に対応する前記表示領域の対象範囲を決定する範囲決定手段と、
前記表示領域の対象範囲に表示された情報を前記表示手段に見えなくさせる表示制御処理を行う表示制御手段と、
を備え、
範囲決定手段は、ユーザによって前記操作手段の接触領域を所定時間以上触れられて、前記操作手段から前記位置信号を前記所定時間以上受けた場合に、前記所定時間以上触れられた範囲を示す複数の前記位置信号に基づいて、前記所定時間以上触れられた範囲を全て含む前記接触領域の接触操作範囲を決定する、
携帯型情報処理装置。
【請求項５】
前記位置情報は、前記接触領域における行列座標を含み、
前記接触領域は、分割された複数の分割領域を有しており、
前記範囲決定手段は、複数の前記行列座標の少なくとも１つを含む前記分割領域を合成した合成領域を前記接触領域の接触操作範囲として決定する、
請求項４に記載の携帯型情報処理装置。
【請求項６】
前記位置情報は、前記接触領域における行列座標を含み、
前記範囲決定手段は、複数の前記行列座標から列方向の最大値及び最小値と行方向の最大値及び最小値とを求め、該列方向の最大値及び最小値と該行方向の最大値及び最小値とによって囲まれた前記接触領域の接触操作範囲を決定する、
請求項４の何れか１項に記載の携帯型情報処理装置。
【請求項７】
前記表示制御手段は、前記表示領域の対象範囲に表示された情報の表示色と前記表示領域の対象範囲に表示された背景の表示色とを前記表示手段に同色にさせる、
請求項１〜６の何れか１項に記載の携帯型情報処理装置。
【請求項８】
前記表示手段は、情報を表示する表示レイヤの上層に表示マスクレイヤを有し、
前記表示制御手段は、前記表示マスクレイヤにおける前記対象範囲にマスク表示させる、
請求項１〜６の何れか１項に記載の携帯型情報処理装置。
【請求項９】
前記表示制御手段は、前記表示領域の対象範囲に表示された情報を前記表示手段に変更させる、
請求項１〜６の何れか１項に記載の携帯型情報処理装置。
【請求項１０】
情報を表示する表示手段と、前記表示手段の表示領域に対応した接触領域を有する操作手段とを備える携帯型情報処理装置の表示制御方法において、
前記接触領域に対する接触操作を検知して、前記接触領域における前記接触操作の位置を示す位置信号を生成する操作ステップと、
複数の前記位置信号に基づいて、前記接触領域における前記接触操作の各位置に対応する前記表示領域の位置を全て含む前記表示領域の対象範囲を決定する範囲決定ステップと、
前記表示領域の対象範囲に表示された情報を前記表示手段に見えなくさせる表示制御ステップと、
を含み、
前記範囲決定ステップでは、ユーザによって前記接触領域を所定時間以上触れられて、前記位置信号を前記所定時間以上受けた場合に、前記所定時間以上触れられた範囲を示す複数の前記位置信号に基づいて、前記所定時間以上触れられた範囲に対応する前記表示領域の範囲を全て含む前記表示領域の対象範囲を決定する、
携帯型情報処理装置の表示制御方法。
【請求項１１】
情報を表示する表示手段と、前記表示手段の表示領域に対応した接触領域を有する操作手段とを備える携帯型情報処理装置の表示制御方法において、
前記接触領域に対する接触操作を検知して、前記接触領域における前記接触操作の位置を示す位置信号を生成する操作ステップと、
複数の前記位置信号に基づいて、前記接触操作の位置を全て含む前記接触領域の接触操作範囲を決定し、前記接触領域の接触操作範囲に対応する前記表示領域の対象範囲を決定する範囲決定ステップと、
前記表示領域の対象範囲に表示された情報を前記表示手段に見えなくさせる表示制御ステップと、
を含み、
前記範囲決定ステップでは、ユーザによって前記接触領域を所定時間以上触れられて、前記位置信号を前記所定時間以上受けた場合に、前記所定時間以上触れられた範囲を示す複数の前記位置信号に基づいて、前記所定時間以上触れられた範囲を全て含む前記接触領域の接触操作範囲を決定する、
携帯型情報処理装置の表示制御方法。
【発明の詳細な説明】
【技術分野】
【０００１】
本発明は、携帯型の情報処理装置、及び、この情報処理装置の表示制御方法に関するものである。
【背景技術】
【０００２】
携帯電話端末やＰＤＡ（Personal Digital Assistants）などの携帯型の情報処理装置は、操作ボタンとディスプレイとを備え、操作ボタンによる情報入力に応じて文字情報をディスプレイに表示したり、操作ボタンによる操作に応じて予め記憶した文字情報や画像情報などをディスプレイに表示したりする文字／画像情報処理を行うことができる。この種の携帯型情報処理装置は、持ち運びが容易であり、場所を選ばず上記した情報処理を行うことができるという利点を有する。しかしながら、この種の携帯型情報処理装置では、場所によって、ディスプレイの表示情報が周囲の人に覗き見される可能性がある。
【０００３】
この点に関し、下記特許文献１には、覗き見防止に関する手法が開示されている。特許文献１に記載の携帯型情報処理装置では、ディスプレイの視野角を狭くすることによって斜め方向からの覗き見を防止することができる。
【先行技術文献】
【特許文献】
【０００４】
【特許文献１】特開２００６−９８５５６号公報
【発明の概要】
【発明が解決しようとする課題】
【０００５】
ところで、ユーザが周囲の人に見られて困る情報は、ディスプレイの表示情報において一部分であることが多く、ユーザからは、情報処理を継続しつつ、ディスプレイの表示情報の一部に対する覗き見を防止したいという要望がある。
【０００６】
そこで、本発明は、情報処理を継続しつつ、表示情報の一部に対する覗き見を防止することが可能な携帯型情報処理装置及び携帯型情報処理装置の表示制御方法を提供することを目的としている。
【課題を解決するための手段】
【０００７】
本発明の携帯型情報処理装置は、（ａ）情報を表示する表示手段と、（ｂ）表示手段の表示領域に対応した接触領域を有し、接触領域に対する接触操作を検知して、接触領域における接触操作の位置を示す位置信号を出力する操作手段と、（ｃ）操作手段からの複数の位置信号に基づいて、接触領域における接触操作の各位置に対応する表示領域の位置を全て含む表示領域の対象範囲を決定する範囲決定手段と、（ｄ）表示領域の対象範囲に表示された情報を表示手段に見えなくさせる表示制御処理を行う表示制御手段と、
を備える、
【０００８】
本発明の別の携帯型情報処理装置の表示制御方法は、情報を表示する表示手段と、表示手段の表示領域に対応した接触領域を有する操作手段とを備える携帯型情報処理装置の表示制御方法において、（ａ）接触領域に対する接触操作を検知して、接触領域における接触操作の位置を示す位置信号を生成し、（ｂ）複数の位置信号に基づいて、接触領域における接触操作の各位置に対応する表示領域の位置を全て含む表示領域の対象範囲を決定し、（ｃ）表示領域の対象範囲に表示された情報を表示手段に見えなくさせる。
【０００９】
この携帯型情報処理装置及び携帯型情報処理装置の表示制御方法によれば、範囲決定手段が、操作手段によって検知された接触操作の位置に対応する表示領域の位置を全て含む表示領域の対象範囲を決定し、表示制御手段が、表示領域の対象範囲に表示された情報を表示手段に見えなくさせるので、例えば、ユーザは、操作手段に触れるだけで、接触領域の触れた部分に対応する表示領域の対象範囲に表示された情報のみを隠すことができる。したがって、表示情報における見られたくない部分のみに対する覗き見を防止することができる。
【００１０】
また、この携帯型情報処理装置及び携帯型情報処理装置の表示制御方法によれば、見られたくない部分以外の情報の表示は継続することができるので、例えば、表示情報におけるプライベートな部分を隠しつつ、その他の表示情報を友人や知人に見せたいという用途に好適である。
【００１１】
上記した範囲決定手段は、ユーザによって操作手段の接触領域をなぞられた場合に、なぞられた軌跡を示す複数の位置信号に基づいて、なぞられた軌跡に対応する表示領域の軌跡を全て含む表示領域の対象範囲を決定することが好ましい。
【００１２】
これによれば、ユーザは、操作手段をなぞるだけで覗き見防止を行うことができる。人間は、筆記用具を用いて書いている際に書き誤った場合、書き誤った箇所を塗りつぶして消すことがある。なぞる動作は、人間が従来行っている上記動作であって、ある範囲を消す動作に似ているので、ユーザは直感的な操作を行うことが可能となる。
【００１３】
また、上記した範囲決定手段は、ユーザによって操作手段の接触領域を所定時間以上触れられて、操作手段から位置信号を所定時間以上受けた場合に、所定時間以上触れられた範囲を示す複数の位置信号に基づいて、所定時間以上触れられた範囲に対応する表示領域の範囲を全て含む表示領域の対象範囲を決定することが好ましい。
【００１４】
これによれば、ユーザは、操作手段に所定時間以上触れているだけで覗き見防止を行うことができる。人間は、隠したい箇所を手で覆って隠すことがある。所定時間以上触れる動作は、人間が従来行っている上記動作であって、ある範囲を隠す動作に似ているので、ユーザは直感的な操作を行うことが可能となる。
【００１５】
また、上記した位置情報は、接触領域における行列座標を含み、上記した範囲決定手段は、接触領域の複数の行列座標に対応する表示領域の複数の行列座標から、列方向の最大値及び最小値と行方向の最大値及び最小値とを求め、該列方向の最大値及び最小値と該行方向の最大値及び最小値とによって囲まれた表示領域の対象範囲を決定してもよい。
【００１６】
また、上記した位置情報は、接触領域における行列座標を含み、上記した表示領域は、分割された複数の分割領域を有しており、上記した範囲決定手段は、接触領域の複数の行列座標に対応する表示領域の複数の行列座標であって、表示領域の複数の行列座標の少なくとも１つを含む分割領域を合成した合成領域を表示領域の対象範囲として決定してもよい。
【００１７】
本発明の別の携帯型情報処理装置は、（ａ）情報を表示する表示手段と、（ｂ）表示手段の表示領域に対応した接触領域を有し、接触領域に対する接触操作を検知して、接触領域における接触操作の位置を示す位置信号を出力する操作手段と、（ｃ）操作手段からの複数の位置信号に基づいて、接触操作の位置を全て含む接触領域の接触操作範囲を決定し、接触領域の接触操作範囲に対応する表示領域の対象範囲を決定する範囲決定手段と、（ｄ）表示領域の対象範囲に表示された情報を表示手段に見えなくさせる表示制御処理を行う表示制御手段とを備える。
【００１８】
本発明の別の携帯型情報処理装置の表示制御方法は、情報を表示する表示手段と、表示手段の表示領域に対応した接触領域を有する操作手段とを備える携帯型情報処理装置の表示制御方法において、（ａ）接触領域に対する接触操作を検知して、接触領域における接触操作の位置を示す位置信号を生成し、（ｂ）複数の位置信号に基づいて、接触操作の位置を全て含む接触領域の接触操作範囲を決定し、接触領域の接触操作範囲に対応する表示領域の対象範囲を決定し、（ｃ）表示領域の対象範囲に表示された情報を表示手段に見えなくさせる。
【００１９】
この別の携帯型情報処理装置及び別の携帯型情報処理装置の表示制御方法によれば、範囲決定手段が、操作手段によって検知された接触操作の位置を全て含む接触領域の接触操作範囲に対応する表示領域の対象範囲を決定し、表示制御手段が、表示領域の対象範囲に表示された情報を表示手段に見えなくさせるので、例えば、ユーザは、操作手段に触れるだけで、接触領域の触れた部分に対応する表示領域の対象範囲に表示された情報のみを隠すことができる。したがって、表示情報における見られたくない部分のみに対する覗き見を防止することができる。
【００２０】
また、この別の携帯型情報処理装置及び別の携帯型情報処理装置の表示制御方法によれば、見られたくない部分以外の情報の表示は継続することができるので、例えば、表示情報におけるプライベートな部分を隠しつつ、その他の表示情報を友人や知人に見せたいという用途に好適である。
【００２１】
上記した範囲決定手段は、ユーザによって操作手段の接触領域をなぞられた場合に、なぞられた軌跡を示す複数の位置信号に基づいて、なぞられた軌跡を全て含む接触領域の接触操作範囲を決定することが好ましい。
【００２２】
これによれば、ユーザは、操作手段をなぞるだけで覗き見防止を行うことができる。人間は、筆記用具を用いて書いている際に書き誤った場合、書き誤った箇所を塗りつぶして消すことがある。なぞる動作は、人間が従来行っている上記動作であって、ある範囲を消す動作に似ているので、ユーザは直感的な操作を行うことが可能となる。
【００２３】
また、上記した範囲決定手段は、ユーザによって操作手段の接触領域を所定時間以上触れられて、操作手段から位置信号を所定時間以上受けた場合に、所定時間以上触れられた範囲を示す複数の位置信号に基づいて、所定時間以上触れられた範囲を全て含む接触領域の接触操作範囲を決定することが好ましい。
【００２４】
これによれば、ユーザは、操作手段に所定時間以上触れているだけで覗き見防止を行うことができる。人間は、隠したい箇所を手で覆って隠すことがある。所定時間以上触れる動作は、人間が従来行っている上記動作であって、ある範囲を隠す動作に似ているので、ユーザは直感的な操作を行うことが可能となる。
【００２５】
また、上記した位置情報は、接触領域における行列座標を含み、上記した範囲決定手段は、複数の行列座標から列方向の最大値及び最小値と行方向の最大値及び最小値とを求め、該列方向の最大値及び最小値と該行方向の最大値及び最小値とによって囲まれた接触領域の接触操作範囲を決定してもよい。
【００２６】
また、上記した位置情報は、接触領域における行列座標を含み、上記した接触領域は、分割された複数の分割領域を有しており、上記した範囲決定手段は、複数の行列座標の少なくとも１つを含む分割領域を合成した合成領域を接触領域の接触操作範囲として決定してもよい。
【００２７】
上記した表示制御手段は、表示領域の対象範囲に表示された情報を表示手段に変更させてもよいし、表示領域の対象範囲に表示された情報の表示色と表示領域の対象範囲に表示された背景の表示色とを表示手段に同色にさせてもよい。また、上記した表示手段は、情報を表示する表示レイヤの上層に表示マスクレイヤを有し、上記した表示制御手段は、表示マスクレイヤにおける対象範囲にマスク表示させてもよい。
【発明の効果】
【００２８】
本発明によれば、携帯型情報処理装置において、情報処理を継続しつつ、表示情報の一部に対する覗き見を防止することができる。
【図面の簡単な説明】
【００２９】
【図１】本発明の第１の実施形態に係る携帯型情報処理装置の構成を示す斜視図である。
【図２】本発明の第１の実施形態に係る携帯型情報処理装置の構成を示すブロック図である。
【図３】図２の範囲決定部による範囲決定処理を示す図である。
【図４】図２の範囲決定部による範囲決定処理を示す図である。
【図５】図２の表示制御部による表示制御処理を示す図である。
【図６】本発明の第１の実施形態に係る携帯型情報処理装置の表示制御方法を示すフローチャートである。
【図７】本発明の第２の実施形態に係る携帯型情報処理装置の構成を示すブロック図である。
【図８】図７の範囲決定部による範囲決定処理を示す図である。
【図９】図７の範囲決定部による範囲決定処理を示す図である。
【図１０】図７の表示制御部による表示制御処理を示す図である。
【図１１】本発明の第２の実施形態に係る携帯型情報処理装置の表示制御方法を示すフローチャートである。
【図１２】第３の実施形態の範囲決定部による範囲決定処理を示す図である。
【図１３】本発明の第３の実施形態に係る携帯型情報処理装置の表示制御方法を示すフローチャートである。
【図１４】本発明の第４の実施形態に係る携帯型情報処理装置の構成を示すブロック図である。
【図１５】本発明の第４の実施形態に係る携帯型情報処理装置を示す斜視図である。
【図１６】本発明の第４の実施形態に係る携帯型情報処理装置の表示制御方法を示すフローチャートである。
【図１７】本発明の第５の実施形態に係る携帯型情報処理装置の構成を示すブロック図である。
【図１８】本発明の第５の実施形態に係る携帯型情報処理装置を示す斜視図である。
【図１９】本発明の第５の実施形態に係る携帯型情報処理装置の表示制御方法を示すフローチャートである。
【図２０】ユーザによる接触操作の変形例を示す図である。
【図２１】ユーザによる接触操作の変形例を示す図である。
【図２２】ユーザによる接触操作の変形例を示す図である。
【図２３】ユーザによる接触操作の変形例を示す図である。
【図２４】ユーザによる接触操作の変形例を示す図である。
【図２５】ユーザによる接触操作の変形例を示す図である。
【図２６】ユーザによる接触操作の変形例を示す図である。
【図２７】ユーザによる接触操作の変形例を示す図である。
【図２８】ユーザによる接触操作の変形例を示す図である。
【図２９】範囲決定部による範囲決定処理の変形例を示す図である。
【図３０】範囲決定部による範囲補正処理の変形例を示す図である。
【図３１】範囲決定部による範囲決定処理の変形例を示す図である。
【図３２】範囲決定部による範囲決定処理の変形例を示す図である。
【発明を実施するための形態】
【００３０】
以下、図面を参照して本発明の好適な実施形態について詳細に説明する。なお、各図面において同一又は相当の部分に対しては同一の符号を附すこととする。
［第１の実施形態］
【００３１】
図１は、本発明の第１の実施形態に係る携帯型情報処理装置の構成を示す斜視図であり、図２は、本発明の第１の実施形態に係る携帯型情報処理装置の構成を示すブロック図である。図１及び図２には、携帯型情報処理装置の一例として携帯電話端末が示されている。図１及び図２に示す携帯型情報処理装置１は、表示部１０と、操作部２０と、制御部３０とを備えている。なお、図１において、制御部３０は、表示部１０を収容する筐体又は操作部２０を収容する筐体の内部に収容されている。
【００３２】
表示部１０は、例えば液晶ディスプレイである。表示部１０には、行列方向に複数の画素が配列されており、これらの画素が配列された領域が表示領域１０ａである。表示部１０は、制御部３０から文字データや画像データなどの情報を受け、これらの情報を表示領域１０ａに表示する。例えば、表示部１０は、制御部３０からの情報に基づいて、これらの情報が示す行列座標（アドレス）に対応する画素を、これらの情報が示す色で発光させる。
【００３３】
操作部２０は、例えば静電パッドであり、列電極層、行電極層、及び、これらの列電極層と行電極層との間に配置された誘電体層を有している。列電極層には、列方向に延びる複数の列電極が行方向に並置されており、行電極層には行方向に延びる複数の行電極が列方向に並置されている。これらの列電極及び行電極が配列された領域が接触領域２０ａである。操作部２０は、ユーザによる接触領域２０ａに対する接触操作を検知して、接触領域２０ａにおける接触操作の位置を示す位置信号を制御部３０へ出力する。
【００３４】
具体的には、操作部２０では、列電極と行電極とが交差する部分がそれぞれコンデンサを構成しており、コンデンサの静電容量がそれぞれユーザの接触操作により変化することによって、そのコンデンサを構成する列電極と行電極との電位が変化する。このように、操作部２０は、コンデンサの静電容量の変化、すなわち列電極と行電極との電位の変化を検知して、ユーザによる接触領域２０ａに対する接触操作を検知する。そして、操作部２０は、電位が変化した列電極と行電極とが交差する部分の行列座標を位置信号として制御部３０へ出力する。
【００３５】
操作部２０の接触領域２０ａにおける列電極と行電極との交差位置は、表示部１０の表示領域１０ａにおける画素位置と対応付けされている。なお、列電極と行電極との交差位置と画素位置とは、必ずしも１対１に対応付けされていなくともよい。
【００３６】
制御部３０は、各種プログラムや各種情報（送受信メール履歴文字情報、画像情報、メールアドレス情報など）を記憶するＲＯＭ（Read Only Memory）と、ＲＯＭに記憶された各種プログラムを実行するＣＰＵ（CentralProcessing Unit）と、情報を一時的に保存したり各種プログラムを実行する作業領域となったりするＲＡＭ（Random Access Memory）とを有している。このような構成により、制御部３０は、範囲決定部３１、表示制御部３２として機能する。
【００３７】
以下、図３〜図５を用いて、範囲決定部３１及び表示制御部３２について説明する。図３〜図５は、範囲決定部３１による範囲決定処理及び表示制御部３２による表示制御処理の処理工程を順次に示す図である。
【００３８】
範囲決定部３１は、操作部２０からの複数の位置信号に基づいて、接触領域２０ａにおける接触操作の各位置に対応する表示領域１０ａの位置を全て含む表示領域１０ａの対象範囲を決定する。
【００３９】
具体的には、範囲決定部３１は、図３に示すように、ユーザによって接触領域２０ａを指でなぞられた場合に、なぞられた軌跡（ジグザグ線画）Ｌ２を示す複数の位置信号に基づいて、なぞられた軌跡Ｌ２に対応する表示領域１０ａの軌跡Ｌ１を求める。例えば、ＲＯＭには、操作部２０の接触領域２０ａにおける列電極と行電極との交差位置と表示部１０の表示領域１０ａにおける画素とが対応付けされてテーブルとして予め記憶されている。範囲決定部３１は、このテーブルに基づいて、接触領域２０ａにおけるなぞられた軌跡Ｌ２に対応する表示領域１０ａの軌跡Ｌ１を求める。
【００４０】
また、範囲決定部３１は、表示領域１０ａの軌跡Ｌ１を全て含む表示領域１０ａの対象範囲Ａ１を決定する。具体的には、範囲決定部３１は、各位置信号に含まれる接触領域２０ａの行列座標に対応する表示領域１０ａの行列座標から、列方向における最大値Ｘｍａｘ及び最小値Ｘｍｉｎを求めると共に、行方向における最大値Ｙｍａｘ及び最小値Ｙｍｉｎを求める。そして、範囲決定部３１は、これらの値から四つの行列座標（Ｘｍｉｎ，Ｙｍｉｎ）、（Ｘｍａｘ，Ｙｍｉｎ）、（Ｘｍｉｎ，Ｙｍａｘ）、（Ｘｍａｘ，Ｙｍａｘ）を求め、これらの行列座標で囲まれる範囲を表示領域１０ａの対象範囲Ａ１として決定する。
【００４１】
また、範囲決定部３１は、決定した対象範囲Ａ１の調整を行う。例えば、範囲決定部３１は、図４に示すように、対象範囲決定後に表示部１０に対象範囲Ａ１を示す枠線Ｂを表示させ、操作部２０は、この枠線Ｂに対応する接触領域２０ａの部分への接触操作及びスライド動作を検知する。範囲決定部３１は、スライド動作に対応した位置信号を受けて、対象範囲を求め直す。そして、範囲決定部３１は、対象範囲決定後に表示部１０に処理選択メニューＭを表示させ、表示領域１０ａにおける処理Ｎ１の位置に対応する接触領域２０ａにおける位置Ｎ２を選択させることによって対象範囲Ａ２を確定する（図５）。
【００４２】
表示制御部３２は、図５に示すように、表示領域１０ａの対象範囲Ａ２に表示された情報を、表示部１０に見えなくさせる表示制御処理を行う。例えば、表示制御部３２は、表示領域１０ａの対象範囲Ａ２に表示された情報をＲＡＭに一旦記憶すると共に、この対象範囲Ａ２の情報を変更して表示部１０へ出力する。本実施形態では、対象範囲Ａ２の色情報を全てグレーに変更する。
【００４３】
また、表示制御部３２は、ユーザからの表示制御処理の解除操作や、現在行っている情報処理の終了操作などに応じて、上記した表示制御処理を解除する。具体的には、表示制御部３２は、表示領域１０ａの対象範囲Ａ２の情報をＲＡＭに記憶した情報に戻す。
【００４４】
次に、第１の実施形態の携帯型情報処理装置１の動作を説明すると共に、本発明の第１の実施形態に係る携帯型情報処理装置の表示制御方法を説明する。図６は、本発明の第１の実施形態に係る携帯型情報処理装置の表示制御方法を示すフローチャートである。
【００４５】
例えば、メール機能を使用して、送信メールを作成する際に、プライベートな情報である宛先のメールアドレスを隠したい場合がある。この場合、ユーザは、表示部１０の表示領域１０ａの宛先に対応する操作部２０の接触領域２０ａの部分を人指し指などでなぞる（図３）。
【００４６】
すると、操作部２０は、接触領域２０ａに指が接触したことによる列電極と行電極との電位の変化を検知して、電位が変化した列電極と行電極との交差部分の行列座標を位置信号として制御部３０へ順次に出力する。このようにして、操作部２０は、接触領域２０ａをなぞる操作を検知して、接触領域２０ａにおけるなぞられた軌跡（ギザギザ線画）Ｌ２を示す複数の位置信号を制御部３０へ出力することとなる（ステップＳ０１）。
【００４７】
次に、範囲決定部３１は、ＲＯＭに予め記憶されたテーブルに基づいて、接触領域２０ａにおけるなぞられた軌跡Ｌ２に対応する表示領域１０ａの軌跡Ｌ１を求める（ステップＳ０２）。
【００４８】
次に、範囲決定部３１は、各位置信号に含まれる接触領域２０ａの行列座標に対応する表示領域１０ａの行列座標から、列方向における最大値Ｘｍａｘ及び最小値Ｘｍｉｎを求めると共に、行方向における最大値Ｙｍａｘ及び最小値Ｙｍｉｎを求める。そして、範囲決定部３１は、これらの値から四つの行列座標（Ｘｍｉｎ，Ｙｍｉｎ）、（Ｘｍａｘ，Ｙｍｉｎ）、（Ｘｍｉｎ，Ｙｍａｘ）、（Ｘｍａｘ，Ｙｍａｘ）を求めて、これらの行列座標で囲まれる範囲を表示領域１０ａの対象範囲Ａ１として決定する。このようにして、範囲決定部３１は、求めた軌跡Ｌ１を全て含む表示領域１０ａの対象範囲Ａ１を決定する（ステップＳ０３）。
【００４９】
次に、範囲決定部３１は、図４に示すように、表示部１０に、表示領域１０ａの対象範囲Ａ１を枠線Ｂで表示させると共に、処理選択メニューＭを表示させる。ユーザが、表示部１０の表示領域１０ａの枠線Ｂに対応する操作部２０の接触領域２０ａの部分に触れると共に、その指をスライドすると、操作部２０が指のスライド動作を検知する。範囲決定部３１は、スライド動作に対応した位置信号を受けて、表示領域１０ａの対象範囲を求め直す。このようにして、範囲決定部３１は、表示領域１０ａの対象範囲Ａ１の調整を行う（ステップＳ０４）。
【００５０】
その後、ユーザが、表示領域１０ａの処理選択メニューＭにおける処理「隠す」Ｎ１の位置に対応する操作部２０の接触領域２０ａの位置Ｎ２に触れると、操作部２０が検知すると共に、範囲決定部３１が表示領域１０ａの対象範囲として調整後の対象範囲Ａ２を確定する（図５）（ステップＳ０４）。
【００５１】
そして、表示制御部３２が表示制御処理を開始する。具体的には、表示制御部３２は、表示領域１０ａの対象範囲Ａ２に表示された情報をＲＡＭに一旦記憶すると共に、この対象範囲Ａ２の色情報を全てグレーに変更して表示部１０へ出力する。そして、表示部１０は、変更された情報に応じて、表示領域１０ａの対象範囲Ａ２をグレーアウトすることによって、対象範囲Ａ２に表示された情報を見えなくする（図５）（ステップＳ０５）。
【００５２】
本実施形態では、表示領域１０ａにおける宛先を隠しただけであるので、送信メールの作成を継続して行うことができる。
【００５３】
なお、ユーザによって送信メール作成処理が終了されると、表示制御部３２は、上記した表示制御処理を解除する。具体的には、表示制御部３２は、対象範囲Ａ２の情報をＲＡＭに保存した情報に戻し、送信メール情報を保存すると共に、送信メール作成処理を終了する。
【００５４】
このように、第１の実施形態の携帯型情報処理装置１及び第１の実施形態の携帯型情報処理装置の表示制御方法によれば、範囲決定部３１が、操作部２０によって検知された接触操作の位置に対応する表示領域１０ａの位置を全て含む表示領域１０ａの対象範囲Ａ１及びＡ２を決定し、表示制御部３２が、表示領域１０ａの対象範囲Ａ２に表示された情報を表示部１０に見えなくさせるので、例えば、ユーザは、操作部２０に触れるだけで、接触領域２０ａの触れた部分に対応する表示部１０の対象範囲Ａ２に表示された情報のみを隠すことができる。したがって、表示情報における見られたくない部分のみに対する覗き見を防止することができる。
【００５５】
また、第１の実施形態の携帯型情報処理装置１及び第１の実施形態の携帯型情報処理装置の表示制御方法によれば、見られたくない部分以外の情報の表示は継続することができるので、例えば、表示情報におけるプライベートな部分を隠しつつ、その他の表示情報を友人や知人に見せたいという用途に好適である。
【００５６】
このように、第１の実施形態の携帯型情報処理装置１及び第１の実施形態の携帯型情報処理装置の表示制御方法によれば、送信メール作成や、受信メール閲覧、画像閲覧などの情報処理を継続しつつ、表示情報の一部に対する覗き見を防止することができる。
【００５７】
また、第１の実施形態の携帯型情報処理装置１及び第１の実施形態の携帯型情報処理装置の表示制御方法によれば、ユーザは、操作部２０をなぞるだけで覗き見防止を行うことができる。人間は、筆記用具を用いて書いている際に書き誤った場合、書き誤った箇所を塗りつぶして消すことがある。なぞる動作は、人間が従来行っている上記動作であって、ある範囲を消す動作に似ているので、ユーザは直感的な操作を行うことが可能となる。
［第２の実施形態］
【００５８】
図７は、本発明の第２の実施形態に係る携帯型情報処理装置の構成を示すブロック図である。図７に示す携帯型情報処理装置１Ａは、携帯型情報処理装置１において表示部１０及び制御部３０に代えて表示部１０Ａ、制御部３０Ａを備えている構成で第１の実施形態と異なっている。携帯型情報処理装置１Ａの他の構成は、携帯型情報処理装置１と同一である。
【００５９】
表示部１０Ａは、複数の表示レイヤを有する点で表示部１０と異なっている。例えば、表示部１０Ａは、表示部１０と同一な構成により、文字データや画像データなどの情報を表示領域１０ａに表示する表示レイヤと、表示レイヤの上層に配置された表示マスクレイヤとを有している。表示部１０Ａは、制御部３０Ａからの表示制御信号に応じて、表示マスクレイヤにおける対象範囲の色を通常の透明からグレーに変更することによって、表示レイヤに表示された情報を見えなくする。
【００６０】
制御部３０Ａは、制御部３０において範囲決定部３１及び表示制御部３２に代えてそれぞれ範囲決定部３１Ａ、表示制御部３２Ａを有している構成で第１の実施形態と異なっている。
【００６１】
以下、図８〜図１０を用いて、範囲決定部３１Ａ及び表示制御部３２Ａについて説明する。図８〜図１０は、範囲決定部３１Ａによる範囲決定処理及び表示制御部３２Ａによる表示制御処理の処理工程を順次に示す図である。
【００６２】
範囲決定部３１Ａは、範囲決定部３１と同様に、操作部２０からの複数の位置信号に基づいて、接触領域２０ａにおける接触操作の各位置に対応する表示領域１０ａの位置を全て含む表示領域１０ａの対象範囲を決定する。
【００６３】
具体的には、範囲決定部３１Ａは、図８に示すように、ユーザによって接触領域２０ａを指や手で所定時間以上触れられて、操作部２０から位置信号を所定時間以上受けた場合に、所定時間以上触れられた範囲Ｃ２を示す複数の位置信号に基づいて、この範囲Ｃ２に対応する表示領域１０ａの範囲Ｃ１を求める。例えば、ＲＯＭには、操作部２０の接触領域２０ａにおける列電極と行電極との交差位置と表示部１０Ａの表示領域１０ａにおける画素とが対応付けされてテーブルとして予め記憶されている。範囲決定部３１Ａは、このテーブルに基づいて、接触領域２０ａにおける触れられた範囲Ｃ２に対応する表示領域１０ａの範囲Ｃ１を求める。
【００６４】
また、範囲決定部３１Ａは、範囲決定部３１と同様に、表示領域１０ａの範囲Ｃ１を全て含む表示領域１０ａの対象範囲Ａ１を決定する。すなわち、範囲決定部３１Ａは、各位置信号に含まれる接触領域２０ａの行列座標に対応する表示領域１０ａの行列座標から、列方向における最大値Ｘｍａｘ及び最小値Ｘｍｉｎを求めると共に、行方向における最大値Ｙｍａｘ及び最小値Ｙｍｉｎを求める。そして、範囲決定部３１Ａは、これらの値から四つの行列座標（Ｘｍｉｎ，Ｙｍｉｎ）、（Ｘｍａｘ，Ｙｍｉｎ）、（Ｘｍｉｎ，Ｙｍａｘ）、（Ｘｍａｘ，Ｙｍａｘ）を求め、これらの行列座標で囲まれる範囲を表示領域１０ａの対象範囲Ａ１として決定する。
【００６５】
また、範囲決定部３１Ａは、範囲決定部３１と同様に、決定した対象範囲Ａ１の調整を行う。例えば、範囲決定部３１Ａは、図９に示すように、対象範囲決定後に表示部１０Ａに対象範囲Ａ１を示す枠線Ｂを表示させ、操作部２０は、この枠線Ｂに対応する接触領域２０ａの部分への接触操作及びスライド動作を検知する。範囲決定部３１Ａは、スライド動作に対応した位置信号を受けて、対象範囲を求め直す。そして、範囲決定部３１Ａは、対象範囲決定後に表示部１０Ａに処理選択メニューＭを表示させ、表示領域１０ａにおける処理Ｎ１の位置に対応する接触領域２０ａにおける位置Ｎ２を選択させることによって対象範囲Ａ２を確定する（図１０）。
【００６６】
表示制御部３２Ａは、図１０に示すように、表示領域１０ａの対象範囲Ａ２に表示された情報を、表示部１０に見えなくさせる表示制御処理を行う。例えば、表示制御部３２Ａは、表示部１０Ａの表示マスクレイヤの対象範囲Ａ２の色情報を表示部１０Ａへ出力する。本実施形態では、表示部１０Ａの表示マスクレイヤの対象範囲Ａ２の色を透明からグレーに変更する。
【００６７】
次に、第２の実施形態の携帯型情報処理装置１の動作を説明すると共に、本発明の第２の実施形態に係る携帯型情報処理装置の表示制御方法を説明する。図１１は、本発明の第２の実施形態に係る携帯型情報処理装置の表示制御方法を示すフローチャートである。
【００６８】
例えば、画像を表示して、友人や知人に見せる際に、部分的に隠したい場合がある。この場合、ユーザは、表示部１０Ａの表示領域１０ａの隠したい部分に対応する操作部２０の接触領域２０ａの部分を手などで所定時間以上触れる（図８）。
【００６９】
すると、操作部２０は、接触領域２０ａに指が接触したことによる列電極と行電極との電位の変化を検知して、電位が変化した列電極と行電極との交差部分の行列座標を位置信号として制御部３０へ順次に出力する。このようにして、操作部２０は、接触領域２０ａを触れる操作を検知して、接触領域２０ａにおける触れられた範囲Ｃ２を示す複数の位置信号を制御部３０Ａへ出力することとなる（ステップＳ０１Ａ）。
【００７０】
次に、範囲決定部３１Ａは、ユーザによって接触領域２０ａを所定時間以上触れられて、操作部２０から位置信号を所定時間以上受けた場合に、範囲決定部３１と同様に、ＲＯＭに予め記憶されたテーブルに基づいて、接触領域２０ａにおける触れられた範囲Ｃ２に対応する表示領域１０ａの範囲Ｃ１を求める（ステップＳ０２Ａ）。
【００７１】
次に、範囲決定部３１Ａは、範囲決定部３１と同様に、各位置信号に含まれる接触領域２０ａの行列座標に対応する表示領域１０ａの行列座標から、列方向における最大値Ｘｍａｘ及び最小値Ｘｍｉｎを求めると共に、行方向における最大値Ｙｍａｘ及び最小値Ｙｍｉｎを求める。そして、範囲決定部３１は、これらの値から四つの行列座標（Ｘｍｉｎ，Ｙｍｉｎ）、（Ｘｍａｘ，Ｙｍｉｎ）、（Ｘｍｉｎ，Ｙｍａｘ）、（Ｘｍａｘ，Ｙｍａｘ）を求めて、これらの行列座標で囲まれる範囲を表示領域１０ａの対象範囲Ａ１として決定する。このようにして、範囲決定部３１Ａは、求めた範囲Ｃ１を全て含む表示領域１０ａの対象範囲Ａ１を決定する（ステップＳ０３Ａ）。
【００７２】
次に、範囲決定部３１Ａは、図９に示すように、表示部１０Ａに、表示領域１０ａの対象範囲Ａ１を枠線Ｂで表示させると共に、処理選択メニューＭを表示させる。ユーザが、表示部１０Ａの表示領域１０ａの枠線Ｂに対応する操作部２０の接触領域２０ａの部分に触れると共に、その指をスライドすると、操作部２０が指のスライド動作を検知する。範囲決定部３１Ａは、スライド動作に対応した位置信号を受けて、表示領域１０ａの対象範囲を求め直す。このようにして、範囲決定部３１Ａは、範囲決定部３１と同様に、表示領域１０ａの対象範囲Ａ１の調整を行う（ステップＳ０４）。
【００７３】
その後、ユーザが、表示領域１０ａの処理選択メニューＭにおける処理「隠す」Ｎ１の位置に対応する操作部２０の接触領域２０ａの位置Ｎ２に触れると、操作部２０が検知すると共に、範囲決定部３１Ａが表示領域１０ａの対象範囲として調整後の対象範囲Ａ２を確定する（図１０）（ステップＳ０４）。
【００７４】
そして、表示制御部３２Ａが表示制御処理を開始する。具体的には、表示制御部３２Ａは、表示部１０Ａの表示マスクレイヤの対象範囲Ａ２の色を透明からグレーに変更して表示部１０へ出力する。そして、表示部１０Ａは、変更された情報に応じて、表示領域１０ａの対象範囲Ａ２をグレーアウトすることによって、対象範囲Ａ２に表示された情報を見えなくする（図１０）（ステップＳ０５）。
【００７５】
本実施形態では、表示領域１０ａにおける一部分を隠しただけであるので、他の部分の表示処理を継続して行うことができる。
【００７６】
この第２の実施形態の携帯型情報処理装置１Ａ及び第２の実施形態の携帯型情報処理装置の表示制御方法でも、第１の実施形態の携帯型情報処理装置１及び第１の実施形態の携帯型情報処理装置の表示制御方法と同様の利点を得ることができる。
【００７７】
また、第２の実施形態の携帯型情報処理装置１及び第２の実施形態の携帯型情報処理装置の表示制御方法によれば、ユーザは、操作部２０を所定時間以上触れているだけで覗き見防止を行うことができる。人間は、隠したい箇所を手で覆って隠すことがある。所定時間以上触れる動作は、人間が従来行っている上記動作であって、ある範囲を隠す動作に似ているので、ユーザは直感的な操作を行うことが可能となる。
［第３の実施形態］
【００７８】
次に、本発明の第３の実施形態に係る携帯型情報処理装置１Ｂについて説明する。図２に示すように、携帯型情報処理装置１Ｂは、携帯型情報処理装置１において制御部３０に代えて制御部３０Ｂを備えている構成で第１の実施形態と異なっている。携帯型情報処理装置１Ｂの他の構成は、携帯型情報処理装置１と同一である。
【００７９】
制御部３０Ｂは、制御部３０において範囲決定部３１に代えて範囲決定部３１Ｂを有している構成で第１の実施形態と異なっている。制御部３０Ｂの他の構成は、制御部３０と同一である。
【００８０】
範囲決定部３１Ｂは、操作部２０からの複数の位置信号に基づいて、接触操作の位置を全て含む接触領域２０ａの接触操作範囲を決定し、その後、この接触領域２０ａの接触操作範囲に対応する表示領域１０ａの対象範囲を決定する点で範囲決定部３１と異なっている。
【００８１】
図１２は、範囲決定部３１Ｂによる範囲決定処理を示す図である。例えば、範囲決定部３１Ｂは、ユーザによって操作部２０の接触領域２０ａを指でなぞられた場合に、なぞられた軌跡（ジグザグ線画）Ｌ２を示す複数の位置信号に基づいて、なぞられた軌跡Ｌ２を全て含む接触領域２０ａの接触操作範囲Ｄを決定する。具体的には、範囲決定部３１Ｂは、各位置信号に含まれる行列座標から、列方向における最大値Ｘｍａｘ及び最小値Ｘｍｉｎを求めると共に、行方向における最大値Ｙｍａｘ及び最小値Ｙｍｉｎを求める。そして、範囲決定部３１Ｂは、これらの値から四つの行列座標（Ｘｍｉｎ，Ｙｍｉｎ）、（Ｘｍａｘ，Ｙｍｉｎ）、（Ｘｍｉｎ，Ｙｍａｘ）、（Ｘｍａｘ，Ｙｍａｘ）を求め、これらの行列座標で囲まれる範囲を接触領域２０ａの接触操作範囲Ｄとして決定する。
【００８２】
ここで、例えば、ＲＯＭには、操作部２０の接触領域２０ａにおいて考えられる複数パターンの接触操作範囲Ｄが予め記憶されており、それぞれの接触操作範囲Ｄに対応付けされた表示部１０の表示領域１０ａにおける対象範囲Ａ１が複数パターン予め記憶されている。すなわち、ＲＯＭには、複数パターンの接触操作範囲Ｄと複数パターンの対象範囲Ａ１とが対応付けされてテーブルとして予め記憶されている。範囲決定部３１Ｂは、このテーブルに基づいて、接触操作範囲Ｄに対応する対象範囲Ａ１を決定する。
【００８３】
また、範囲決定部３１Ｂは、範囲決定部３１と同様に、決定した対象範囲Ａ１の調整を行い、調整後の対象範囲Ａ２を確定する。
【００８４】
次に、第３の実施形態の携帯型情報処理装置１Ｂの動作を説明すると共に、本発明の第３の実施形態に係る携帯型情報処理装置の表示制御方法を説明する。図１３は、本発明の第３の実施形態に係る携帯型情報処理装置の表示制御方法を示すフローチャートである。
【００８５】
まず、上記したステップＳ０１の処理が行われる。次に、範囲決定部３１Ｂは、各位置信号に含まれる行列座標から、列方向における最大値Ｘｍａｘ及び最小値Ｘｍｉｎを求めると共に、行方向における最大値Ｙｍａｘ及び最小値Ｙｍｉｎを求める。そして、範囲決定部３１Ｂは、これらの値から四つの行列座標（Ｘｍｉｎ，Ｙｍｉｎ）、（Ｘｍａｘ，Ｙｍｉｎ）、（Ｘｍｉｎ，Ｙｍａｘ）、（Ｘｍａｘ，Ｙｍａｘ）を求めて、これらの行列座標で囲まれる範囲を接触領域２０ａの接触操作範囲Ｄとして決定する。このようにして、範囲決定部３１Ｂは、なぞられた軌跡Ｌ２を全て含む接触領域２０ａの接触操作範囲Ｄを決定することとなる（ステップＳ０２Ｂ）。
【００８６】
次に、範囲決定部３１Ｂは、ＲＯＭに予め記憶されたテーブルに基づいて、接触領域２０ａの接触操作範囲Ｄに対応する表示領域１０ａの対象範囲Ａ１を決定する（ステップＳ０３Ｂ）。その後、上記したステップＳ０４及びＳ０５の処理が行われる。
【００８７】
この第３の実施形態の携帯型情報処理装置１Ｂ及び第３の実施形態の携帯型情報処理装置の表示制御方法でも、第１の実施形態の携帯型情報処理装置１及び第１の実施形態の携帯型情報処理装置の表示制御方法と同様の利点を得ることができる。
［第４の実施形態］
【００８８】
図１４は、本発明の第４の実施形態に係る携帯型情報処理装置の構成を示すブロック図であり、図１５は、本発明の第４の実施形態に係る携帯型情報処理装置を示す斜視図である。図１４及び図１５に示す携帯型情報処理装置１Ｃは、携帯型情報処理装置１において表示部１０及び制御部３０に代えてそれぞれ表示部１０Ｃ、制御部３０Ｃを備えている構成で第１の実施形態と異なっている。携帯型情報処理装置１Ｃの他の構成は、携帯型情報処理装置１と同一である。
【００８９】
表示部１０Ｃは、表示領域１０ａを行列方向に格子状に分割した複数の分割領域Ｅ１〜Ｅ１５を有する点で表示部１０と異なっている。
【００９０】
制御部３０Ｃは、制御部３０において範囲決定部３１に代えて範囲決定部３１Ｃを有している構成で第１の実施形態と異なっている。制御部３０Ｃの他の構成は、制御部３０と同一である。
【００９１】
範囲決定部３１Ｃは、上記したように、ユーザによって操作部２０の接触領域２０ａを指でなぞられた場合に、なぞられた軌跡（ジグザグ線画）Ｌ２を示す複数の位置信号に基づいて、なぞられた軌跡Ｌ２に対応する表示領域１０ａの軌跡Ｌ１を求める。そして、範囲決定部３１Ｃは、表示領域１０ａの軌跡Ｌ１の少なくとも一部を含む分割領域Ｅ１〜Ｅ６を合成した合成領域を表示領域１０ａの対象範囲Ａ１として決定する点で範囲決定部３１と異なっている。具体的には、範囲決定部３１Ｃは、表示領域１０ａの軌跡Ｌ１における複数の行列座標の少なくとも１つを含む分割領域Ｅ１〜Ｅ６を合成した合成領域を表示領域の対象範囲Ａ１として決定する。
【００９２】
また、範囲決定部３１Ｃは、範囲決定部３１と同様に、決定した対象範囲Ａ１の調整を行い、調整後の対象範囲Ａ２を確定する。
【００９３】
次に、第４の実施形態の携帯型情報処理装置１Ｃの動作を説明すると共に、本発明の第４の実施形態に係る携帯型情報処理装置の表示制御方法を説明する。図１６は、本発明の第４の実施形態に係る携帯型情報処理装置の表示制御方法を示すフローチャートである。
【００９４】
まず、上記したステップＳ０１及びＳ０２の処理が行われる。次に、範囲決定部３１Ｃは、表示領域１０ａの軌跡Ｌ１の少なくとも一部を含む分割領域Ｅ１〜Ｅ６を合成した合成領域を表示領域の対象範囲Ａ１として決定する。具体的には、範囲決定部３１Ｃは、表示領域１０ａの軌跡Ｌ１における複数の行列座標の少なくとも１つを含む分割領域Ｅ１〜Ｅ６を合成した合成領域を表示領域の対象範囲Ａ１として決定する。（ステップＳ０３Ｃ）。その後、上記したステップＳ０４及びＳ０５の処理が行われる。
【００９５】
この第４の実施形態の携帯型情報処理装置１Ｃ及び第４の実施形態の携帯型情報処理装置の表示制御方法でも、第１の実施形態の携帯型情報処理装置１及び第１の実施形態の携帯型情報処理装置の表示制御方法と同様の利点を得ることができる。
【００９６】
また、第４の実施形態の携帯型情報処理装置１Ｃ及び第４の実施形態の携帯型情報処理装置の表示制御方法によれば、表示領域１０ａの分割数を大きくすれば、長方形に限定されることなく、様々な形状で表示領域１０ａの一部を隠すことができる。
［第５の実施形態］
【００９７】
図１７は、本発明の第５の実施形態に係る携帯型情報処理装置の構成を示すブロック図であり、図１８は、本発明の第５の実施形態に係る携帯型情報処理装置を示す斜視図である。図１７及び図１８に示す携帯型情報処理装置１Ｄは、携帯型情報処理装置１Ｂにおいて操作部２０及び制御部３０Ｂに代えてそれぞれ操作部２０Ｄ、制御部３０Ｄを備えている構成で第３の実施形態と異なっている。携帯型情報処理装置１Ｄの他の構成は、携帯型情報処理装置１Ｂと同一である。
【００９８】
操作部２０Ｄは、接触領域２０ａを行列方向に格子状に分割した複数の分割領域Ｆ１〜Ｆ２１を有する点で操作部２０と異なっている。
【００９９】
制御部３０Ｄは、制御部３０Ｂにおいて範囲決定部３１Ｂに代えて範囲決定部３１Ｄを有している構成で第３の実施形態と異なっている。制御部３０Ｄの他の構成は、制御部３０Ｂと同一である。
【０１００】
範囲決定部３１Ｄは、上記したように、ユーザによって操作部２０の接触領域２０ａを指でなぞられた場合に、なぞられた軌跡（ジグザグ線画）Ｌ２を示す複数の位置信号に基づいて、なぞられた軌跡Ｌ２の少なくとも一部を含む分割領域Ｆ１〜Ｆ６を合成した合成領域を接触領域２０ａの接触操作範囲Ｄとして決定する点で第３の実施形態と異なっている。具体的には、範囲決定部３１Ｄは、なぞられた軌跡Ｌ２における複数の行列座標の少なくとも１つを含む分割領域Ｆ１〜Ｆ６を合成した合成領域を接触領域２０ａの接触操作範囲Ｄとして決定する。
【０１０１】
ここで、例えば、上記したように、ＲＯＭには、複数パターンの接触操作範囲Ｄと複数パターンの対象範囲Ａ１とが対応付けされてテーブルとして予め記憶されている。範囲決定部３１Ｄは、このテーブルに基づいて、接触操作範囲Ｄに対応する対象範囲Ａ１を決定する。
【０１０２】
また、範囲決定部３１Ｄは、範囲決定部３１と同様に、決定した対象範囲Ａ１の調整を行い、調整後の対象範囲Ａ２を確定する。
【０１０３】
次に、第５の実施形態の携帯型情報処理装置１Ｄの動作を説明すると共に、本発明の第５の実施形態に係る携帯型情報処理装置の表示制御方法を説明する。図１９は、本発明の第５の実施形態に係る携帯型情報処理装置の表示制御方法を示すフローチャートである。
【０１０４】
まず、上記したステップＳ０１の処理が行われる。次に、範囲決定部３１Ｄは、なぞられた軌跡Ｌ２の少なくとも一部を含む分割領域Ｆ１〜Ｆ６を合成した合成領域を接触領域２０ａの接触操作範囲Ｄとして決定する。具体的には、範囲決定部３１Ｄは、なぞられた軌跡Ｌ２における複数の行列座標の少なくとも１つを含む分割領域Ｆ１〜Ｆ６を合成した合成領域を接触領域２０ａの接触操作範囲Ｄとして決定する（ステップＳ０２Ｄ）。その後、上記したステップＳ０３Ｂ〜Ｓ０５の処理が行われる。
【０１０５】
この第５の実施形態の携帯型情報処理装置１Ｄ及び第５の実施形態の携帯型情報処理装置の表示制御方法でも、第１の実施形態の携帯型情報処理装置１及び第１の実施形態の携帯型情報処理装置の表示制御方法と同様の利点を得ることができる。
【０１０６】
また、第５の実施形態の携帯型情報処理装置１Ｄ及び第５の実施形態の携帯型情報処理装置の表示制御方法によれば、接触領域２０ａの分割数を大きくすれば、長方形に限定されることなく、様々な形状で表示領域１０ａの一部を隠すことができる。
【０１０７】
なお、本発明は上記した本実施形態に限定されることなく種々の変形が可能である。例えば、本実施形態では、携帯型情報処理装置として携帯電話端末を例示したが、携帯型情報処理装置には、ＰＤＡなどの情報処理可能であって、携帯可能な装置が広く適用される。
【０１０８】
また、第１及び第３〜５の実施形態では、表示領域１０ａの一部分を隠すために、ユーザは指でジグザグになぞる接触操作を行う例を示したが、ユーザのなぞる接触操作は本実施形態に限られるものではない。例えば、図２０、２１及び２２に示すように、ユーザは、複数の指で、縦横方向（上下方向及び左右方向を含む）又は斜め方向に、直線的にスライドするようになぞる接触操作を行ってもよい。また、図２３に示すように、ユーザは、複数の指で、縦横方向又は斜め方向に、ジグザグにスライドするようになぞる接触操作を行ってもよい。また、図２４、２５及び２６に示すように、ユーザは、両手の指で、縦横方向（上下方向及び左右方向を含む）又は斜め方向に、直線的又はジグザグにスライドするようになぞる接触操作を行ってもよい。また、図２７に示すように、ユーザは、領域を囲うように、複数方向になぞる接触操作を行ってもよい。このような接触操作であっても、第１及び第３〜５の実施形態の携帯型情報処理装置１，１Ｂ，１Ｃ，１Ｄは、接触操作の位置に対応した表示領域１０ａの対象範囲Ａ１を求め、この対処範囲Ａ１の情報を隠すことができる。
【０１０９】
人間は、筆記用具を用いて書いている際に書き誤った場合、書き誤った箇所を二重線で消すことがある。複数の指で直線的にスライドするようになぞる動作は、人間が従来行っている上記動作であって、ある範囲を二重線で消す動作に似ているので、ユーザは直感的な操作を行うことが可能となる。
【０１１０】
また、第２の実施形態では、表示領域１０ａの一部分を隠すために、図８に示すように、ユーザは左右片方の指や手で所定時間以上触れる接触操作を行う例を示したが、図２８に示すように、ユーザは左右両方の指や手で所定時間以上触れる接触操作を行ってもよい。このような接触操作であっても、第２の実施形態の携帯型情報処理装置１Ａは、接触操作の位置に対応した表示領域１０ａの対象範囲Ａ１を求め、この対処範囲Ａ１の情報を隠すことができる。
【０１１１】
この場合、指と指や、指と手のひら、指と手の甲などの間の凹凸に起因して、操作部２０の接触領域２０ａにおける触れられた範囲Ｃ２に隙間が生じてしまい、範囲決定部３１Ａが、範囲Ｃ２に対応する表示領域１０ａの範囲Ｃ１及び対象範囲Ａ１を複数決定してしまうことがある。そこで、範囲決定部３１Ａは、接触領域２０ａにおける複数の範囲Ｃ２、すなわち表示領域１０ａにおける複数の範囲Ｃ１から全体の位置関係を推測し、範囲を補正して１つの対象範囲Ａ１を決定してもよい。
【０１１２】
例えば、図２９に示すように、範囲決定部３１Ａは、接触領域２０ａにおける複数の範囲Ｃ２の位置関係を割り出し、各位置の最大値、最小値及び中間値を算出する。すなわち、範囲決定部３１Ａは、表示領域１０ａにおける複数の範囲Ｃ１の位置関係を割り出し、各位置の最大値、最小値及び中間値を算出する。そして、範囲決定部３１Ａは、選択する範囲が最も大きくなるように、これらの位置関係から隣接する範囲Ｃ２、すなわち範囲Ｃ１同士をつなぐことによって補正を行う。このように補正を行うことによって、範囲決定部３１Ａは、１つの対象範囲Ａ１を決定する。
【０１１３】
その後、範囲決定部３１Ａは、上記したように、決定した対象範囲Ａ１の調整を行う。例えば、図３０に示すように、範囲決定部３１Ａは、接触領域２０ａにおける接触操作の軌跡から、移動距離や移動方向を判断し、対象範囲Ａ１の調整を行い、対象範囲Ａ２を確定する。
【０１１４】
また、本実施形態では、操作部２０がなぞる接触操作や触れる接触操作を検知して、範囲決定部３１，３１Ａ，３１Ｂ，３１Ｃ，３１Ｄが接触操作の位置を全て含む対象範囲Ａ１及びＡ２を決定したが、接触操作及び対象範囲Ａ１及びＡ２の決定手法は本実施形態に限られるものではない。例えば、操作部が２点以上の点接触操作を検知して、範囲決定部がこれらの点接触操作の位置を全て含む対象範囲Ａ１及びＡ２を決定してもよい。
【０１１５】
図３１及び図３２は、本発明の変形例の範囲決定部の範囲決定処理を示す図である。図３１に示すように、例えば、ユーザが、小指と人指し指とで、表示領域１０ａにおける隠したい部分に対応する接触領域２０ａの範囲の始点Ｇ２と終点Ｈ２とにそれぞれ触れる。すると、範囲決定部は、予め記憶されたテーブルに基づいて、接触領域２０ａにおける触れられた位置Ｇ２，Ｈ２に対応する表示領域１０ａの位置Ｇ１，Ｈ１を求め、これらの位置Ｇ１，Ｈ１をそれぞれ始点、終点とする対象範囲Ａ１を決定する。なお、ユーザによる接触操作が３点以上である場合には、本実施形態のように、行列座標の行列方向の最大値及び最小値から対象範囲Ａ１を求めればよい。
【０１１６】
そして、図３２に示すように、範囲決定部は、対象範囲決定後に表示部１０に対象範囲Ａ１を示す枠線Ｂを表示させ、ユーザに接触領域２０ａにおける接触位置Ｇ２，Ｈ２をスライド移動させることによって、対象範囲を求め直す。そして、範囲決定部は、対象範囲決定後に表示部１０に処理選択メニューＭを表示させ、表示領域１０ａにおける処理Ｎ１の位置に対応する接触領域２０ａにおける位置Ｎ２を選択させることによって対象範囲Ａ２を確定する。本実施形態では、処理選択メニューＭを親指側に表示させることによって、三本目の親指で処理選択を容易に行えるようにしている。
【０１１７】
また、本実施形態では、範囲決定部３１，３１Ａ，３１Ｂ，３１Ｃ，３１Ｄは、表示制御処理と、コピー、切取、拡大／縮小、文字色変更などの他の処理とを選択させるようにしたが、表示制御処理と他の処理とを選択させなくてもよい。例えば、なぞる接触操作や触れる接触操作のような特殊な接触操作の場合には、処理選択メニューを表示せることなく、範囲決定部３１，３１Ａ，３１Ｂ，３１Ｃ，３１Ｄが対象範囲決定後、表示制御部３２，３２Ａが、直ちに表示制御処理を実行してもよい。
【０１１８】
また、第１及び第３〜５の実施形態では、表示制御部３２，３２Ａは、表示領域１０ａの対象範囲Ａ１の情報そのものを変更したが、対象範囲Ａ１の情報における文字色のみを背景色と同一として、対象範囲Ａ１の情報を見えなくしてもよい。逆に、対象範囲Ａ１の情報における背景色のみを文字色と同一としてもよい。
【０１１９】
また、第２の実施形態の携帯型情報処理装置１Ａは、第３及び第５の実施形態の携帯型情報処理装置１Ｂ，１Ｄのように、接触領域２０ａにおける接触操作範囲Ｄを決定した後に、予め記憶されたテーブルに基づいて接触操作範囲Ｄに対応した表示領域１０ａの対象範囲Ａ１を求めてもよい。また、第２の実施形態の携帯型情報処理装置１Ａは、第４の実施形態の携帯型情報処理装置１Ｃのように、触れられた接触領域２０ａの範囲に対応する表示領域１０ａの範囲の少なくとも一部を含む分割領域を合成した合成領域を表示領域１０ａの対象範囲Ａ１として決定してもよい。
【０１２０】
また、本実施形態では、操作部２０として静電パッドを例示したが、操作部２０には、タッチパネルや光センサなどの接触操作を検知可能な装置が広く適用される。
【０１２１】
また、本実施形態では、指や手による接触操作を例示したが、接触操作は、タッチペンなどの物によるものであってもよい。
【符号の説明】
【０１２２】
１，１Ａ，１Ｂ，１Ｃ，１Ｄ…携帯型情報処理装置、１０，１０Ａ，１０Ｃ…表示部（表示手段）、１０ａ…表示領域、２０，２０Ｄ…操作部（操作手段）、２０ａ…接触領域、３０，３０Ａ，３０Ｂ，３０Ｃ，３０Ｄ…制御部、３１，３１Ａ，３１Ｂ，３１Ｃ，３１Ｄ…範囲決定部（範囲決定手段）、３２，３２Ａ…表示制御部（表示制御手段）、Ｅ１〜Ｅ２４，Ｆ１〜Ｆ２４…分割領域。
【図１】
2011180603.tif 000003
【図２】
2011180603.tif 000004
【図３】
2011180603.tif 000005
【図４】
2011180603.tif 000006
【図５】
2011180603.tif 000007
【図６】
2011180603.tif 000008
【図７】
2011180603.tif 000009
【図８】
2011180603.tif 000010
【図９】
2011180603.tif 000011
【図１０】
2011180603.tif 000012
【図１１】
2011180603.tif 000013
【図１２】
2011180603.tif 000014
【図１３】
2011180603.tif 000015
【図１４】
2011180603.tif 000016
【図１５】
2011180603.tif 000017
【図１６】
2011180603.tif 000018
【図１７】
2011180603.tif 000019
【図１８】
2011180603.tif 000020
【図１９】
2011180603.tif 000021
【図２０】
2011180603.tif 000022
【図２１】
2011180603.tif 000023
【図２２】
2011180603.tif 000024
【図２３】
2011180603.tif 000025
【図２４】
2011180603.tif 000026
【図２５】
2011180603.tif 000027
【図２６】
2011180603.tif 000028
【図２７】
2011180603.tif 000029
【図２８】
2011180603.tif 000030
【図２９】
2011180603.tif 000031
【図３０】
2011180603.tif 000032
【図３１】
2011180603.tif 000033
【図３２】
2011180603.tif 000034